(57)【要約】【課題】作動停止期間中にかご内ファンに溜まった埃がかご内に吹き出されるのを防止しつつ、かご内ファン作動の自動制御を可能にする。【解決手段】エレベータかご内ファン自動制御装置は、かご１２に設置されたファン１６と、かご１２内の温度を検知するサーモスイッチ３３と、ファン１６が清掃されたときに操作されるファン清掃状態登録スイッチ３４と、このファン清掃状態登録スイッチ３４の操作によってファン清掃完了状態を所定期間だけ記憶可能な記憶部４０と、サーモスイッチ３３からのオン信号と記憶部４０に記憶されたファン清掃完了状態とを条件にファン１６の作動を開始するよう制御する処理部３８とを備える。【選択図】図３
2009190844.tif 000002
【特許請求の範囲】
【請求項１】
かごに設置されたファンと、かご内またはかご周囲の温度を検知する検知部と、ファンが清掃されたときに操作されるファン清掃状態登録操作部と、このファン清掃状態登録操作部の操作によって登録されるファン清掃完了状態を所定期間だけ記憶可能な記憶部と、検知部の検知結果と記憶部に記憶されたファン清掃状態とに基づいてファンの作動を制御する制御部と、を備えるエレベータかご内ファン自動制御装置。
【請求項２】
請求項１に記載のエレベータかご内ファン自動制御装置において、
ファンの清掃が必要であることを表示する表示手段をさらに備えることを特徴とするエレベータかご内ファン自動制御装置。
【請求項３】
請求項１または２に記載のエレベータかご内ファン自動制御装置において、
制御部は、検知部による検知温度がファン作動温度以上であるがファン清掃未完了状態であると判定したとき、遠隔施設に対して発報することを特徴とするエレベータかご内ファン自動制御装置。
【請求項４】
請求項１から３のいずれか１項に記載のエレベータかご内ファン自動制御装置において、
制御部は、遠隔施設からのファン作動指令を受けてファンを作動させることができることを特徴とするエレベータかご内ファン自動制御装置。
【発明の詳細な説明】
【技術分野】
【０００１】
本発明は、エレベータかご内ファン自動制御装置に関し、より詳しくは、かごに設置されているファンについて自動制御による作動を可能にするエレベータかご内ファン自動制御装置に関する。
【背景技術】
【０００２】
一般に、エレベータのかごの天井部には、かご内の換気や冷房のための送風機としてかご内ファンが設置されており、このかご内ファンはかご操作盤に設けられているファン作動スイッチを手動操作することによって作動開始・停止される。
【０００３】
上記ファン作動スイッチは、かご操作盤下部のメンテナンススイッチ格納部に格納されており、エレベータが設置されているビル、マンション等の管理人やエレベータ保守員が持つ専用キーによってメンテナンススイッチ格納部のカバーまたは扉のロックを解除して開けることで操作可能になる。したがって、管理人がいないビル等については、専らエレベータ保守員がビル等を訪問してファン作動スイッチを操作してかご内ファンの作動または停止を行っている。
【０００４】
通常、かご内ファンは、かご内温度が比較的高くなる春過ぎから秋ごろまで作動させているが、保守点検の周期が長くなっている現在においては、かご内ファンの作動開始および停止のタイミングがエレベータ保守員の定期保守点検タイミングと一致しないことが多い。そのため、ビル等の顧客やエレベータ利用者からの「かご内が暑い」または「かご内が寒い」との苦情があった際にかご内ファンの作動開始または停止を行うためだけに保守員がそのビルに出向かなければならず、保守員の出動負担が大きくなっている現状がある。
【０００５】
例えば、特許文献１には、かご内の温度、湿度、におい、空気の汚れ等の環境データを感知して遠隔監視センタに送信し、遠隔監視センタではその環境データに基づいてかご内環境を最適化するようかご内ファンを遠隔自動操作するようにした、エレベータ用かご内ファンの自動制御装置が開示されている。
【０００６】
【特許文献１】特開２００２−２００６０号公報
【発明の開示】
【発明が解決しようとする課題】
【０００７】
しかし、上述したようにエレベータのかご内ファンは、秋から春過ぎ頃まで約半年ほど作動停止されていることが多く、その間にファンには多くの埃が堆積していることから、ファン清掃を行うことなく上記特許文献１に開示されるようにかご内温度に応じてかご内ファンを自動的に作動させると、ファンに堆積していた埃がかご内に吹き出されて、かご内汚れについての苦情が発生することになる。
【０００８】
本発明の目的は、作動停止期間中にかご内ファンに溜まった埃がかご内に吹き出されるのを防止しつつ、かご内ファンの作動を自動制御にするエレベータかご内ファン自動制御装置を提供することにある。
【課題を解決するための手段】
【０００９】
本発明に係るエレベータかご内ファン自動制御装置は、かごに設置されたファンと、かご内またはかご周囲の温度を検知する検知部と、ファンが清掃されたときに操作されるファン清掃状態登録操作部と、このファン清掃状態登録操作部の操作によって登録されるファン清掃完了状態を所定期間だけ記憶可能な記憶部と、検知部の検知結果と記憶部に記憶されたファン清掃状態とに基づいてファンの作動を制御する制御部とを備える。
【００１０】
本発明に係るエレベータかご内ファン自動制御装置において、ファンの清掃が必要であることを表示する表示手段をさらに備えることが好ましい。
【００１１】
また、本発明に係るエレベータかご内ファン自動制御装置において、制御部は、検知部による検知温度がファン作動温度以上であるがファン清掃未完了状態であると判定したとき、遠隔施設に対して発報することが好ましい。
【００１２】
さらに、本発明に係るエレベータかご内ファン自動制御装置において、制御部は、遠隔施設からのファン作動指令を受けてファンを作動させることが可能であること好ましい。
【発明の効果】
【００１３】
本発明に係るエレベータかご内ファン自動制御装置によれば、かご内またはかご周囲の温度とファン清掃状態とに基づいてかご内ファンの作動を自動制御するので、ファン清掃完了状態を確認したうえでかご内ファンを作動開始させることができ、長期間の作動停止期間中にかご内ファンに堆積した埃がかご内に吹き出されるのを防止しつつかご内ファンを自動制御することが可能になる。その結果、かご内ファンの作動または停止のためだけに保守員が出動しなければならない事態を解消でき、メンテナンス性が良くなるとともに、時宜を得たかご内ファンの作動および停止により顧客満足度も向上する。
【発明を実施するための最良の形態】
【００１４】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１５】
図１は、本発明の一実施形態であるエレベータかご内ファン自動制御装置１０を含むエレベータのかご１２を示す概略図である。図１においてかご１２の内部は、かご内からかご扉１４に向かって見た正面図として示されている。
【００１６】
かご１２は、直方体状の筐体として形成されており、その一側壁面に片開きまたは両開き式で開閉駆動されるかご扉１４が設けられている。かご１２の天井上には、かご内に送風することによってかご内の換気や冷房を行うためのかご内ファン１６が設置されている。なお、かご内ファンの設置場所は、かご１２の天井部に限らず、かご１２の側壁部や床部であってもよい。
【００１７】
かご１２の上には、かご内ファン１６を自動制御するためのファン制御装置１８も配置されている。ファン制御装置１８は、かご１２を含むエレベータシステムが設置されているビル等の建物から離れた遠隔施設である遠隔情報センタ２０と電話回線を介して接続されており、遠隔情報センタ２０との間で各種信号の送受信を行うようになっている。なお、ファン制御装置１８と遠隔情報センタ２０間は、電話回線に限らず、インターネットや無線等の他の通信経路を介して通信可能になっていてもよい。
【００１８】
ファン制御装置１８は、かご扉１４側方のかご壁面に設置されているかご操作盤２２に電気的に接続されている。かご操作盤２２は、扉開閉ボタン、行き先階登録ボタン、非常用ボタンおよびインターホン、階床インジケータ等を含むと共に、その下部には鍵付きカバーで覆われたメンテナンススイッチ格納部２４を含んで構成されている。
【００１９】
メンテナンススイッチ格納部２４のカバーは、保守員が有する専用キーによるロック解除によって開くことができる。メンテナンススイッチ格納部２４には、図２に示すように、かご上下手動押しボタンスイッチ２５u，２５d、平常・各階停止切替スイッチ２６、かご内照明スイッチ２８、かご運転・休止切替スイッチ３０およびファン作動スイッチ３２等の複数のシーソー型切替スイッチが格納されている。
【００２０】
ここで、ファン作動スイッチ３２は、オン側に倒されているとき後述するかご内ファン１６の自動制御が実行され、オフ側に倒されているときかご内ファン１６は完全に作動停止状態となる。ただし、ファン作動スイッチ３２の設定をこの逆にしてもよく、オフ側に倒されているときにかご内ファン１６の自動制御が実行され、オン側に倒されたときに自動制御が解除されて手動による連続作動状態になるよう設定されてもよい。
【００２１】
ファン作動スイッチ３２の横（図２において右側）には、例えば押しボタン式のファン清掃状態登録スイッチ（ファン清掃状態登録操作部）３４、および、かご内ファン１６の清掃が必要になったことを点灯により表示するファン清掃状態表示ランプ（表示手段）３６が設けられている。なお、表示手段としてのランプは、「ファン清掃要」等の文字表記を照明することによって表示するものであってもよい。
【００２２】
メンテナンススイッチ格納部２４には、さらに、扉作動停止スイッチ、平常時・点検時切替スイッチ、自動・手動切替スイッチ（いずれも図示せず）等のメンテナンス用スイッチが設けられている。
【００２３】
図３に、かご内ファン１６のファン制御装置１８のブロック図を示す。ファン制御装置１８は、制御部４４とサーモスイッチ（検知部）３３とを含む。サーモスイッチ３３は、かご１２内の温度を検知して、検知温度が所定のファン作動温度、例えば２５℃以上になったときにファン作動オン信号を制御部４４へ出力する機能を有する。
【００２４】
なお、サーモスイッチ３３は、かご１２の周囲温度を検知するものであってもよい。また、本実施形態では検知部としてサーモスイッチを用いているが、これに代えて、かご内またはかご周囲の温度を検知して制御部に出力する温度センサを検知部として用いてもよい。
【００２５】
制御部４４は、処理部３８、記憶部４０および計時部４２を含む。処理部３８は、具体例としてはＣＰＵで構成され、記憶部４０に格納されている制御プログラムを実行および処理する機能を有する。また、計時部４２は、時間計測により日時や期間を管理する時計およびカレンダ機能を有する。さらに、記憶部４０は、上記制御プログラムを格納すると共に、ファン清掃を終えた保守員によってファン清掃状態登録スイッチ３４が押し操作されることよりファン清掃完了状態を所定期間だけ記憶する機能を有する。
【００２６】
上記記憶部４０において、ファン清掃完了状態は清掃パラメータＣが１として記憶されており、かご内ファン１６の作動停止から所定期間経過後にＣは０にリセットされるようになっている。ここで、「所定期間」は、エレベータ管理会社の保守員による保守点検が例えば３ヶ月周期で年４回（３月、６月、９月、１２月）行われる場合には、１周期よりも長く２周期よりも短い期間とするのが好ましい。上記具体例に即せば４ヶ月または５ヶ月に設定されるのが好ましいが、ここでは４ヶ月に設定されているものとして説明する。
【００２７】
続いて、図４を参照しながら上記構成からなるエレベータかご内ファン自動制御装置１０の動作について説明する。図４は、ファン制御装置１８における制御部４４の処理部３８で実行される制御フローを示す図である。
【００２８】
通常、保守員は、春先の保守点検タイミングである３月に顧客のビル等を訪問した際に、エレベータの保守点検を行うと共に、かご内ファン１６に溜まっている埃をきれいに清掃した後、かご操作盤２２にあるファン清掃状態登録スイッチ３４を押し操作する。これにより、ファン制御装置１８の記憶部４０において清掃パラメータＣが１に設定されると共に、ファン清掃状態表示ランプ３６が消灯する。ただし、保守員がファン清掃を行うのを忘れた場合や、ファン清掃を行ったにもかかわらずファン清掃状態登録スイッチ３４を押し操作するのを忘れた場合には、上記清掃パラメータＣは０のままである。
【００２９】
制御部４４の処理部３８では、まず、サーモスイッチ３３からファン作動オン信号が出力されたか否か、すなわちサーモスイッチ３３により検知されるかご１２内の温度が２５℃以上になったか否かが判定される（ステップＳ１０）。そして、サーモスイッチ３３からファン作動オン信号が出力されると（ステップＳ１０でＹＥＳ）、かご内ファン１６が清掃完了状態にあるか否か、すなわちＣ＝１であるか否かが判定され（ステップＳ１２）、Ｃ＝１と判定されると（ステップＳ１２でＹＥＳ）、かご内ファン１６の作動が開始される（ステップＳ１４）。
【００３０】
ここで、かご１２内の検知温度がファン作動温度である２５℃以上になったのが例えば５月中旬から下旬頃だとすると、先の清掃時から２ヶ月程度しか経過しておらず、停止状態にあったかご内ファン１６への埃の堆積も少ないため、自動制御によってかご内ファン１６の作動を開始してもかご内への埃吹き出しによる問題が生じることはない。
【００３１】
一方、上記ステップＳ１２でＣが１でない（すなわち０）と判定されたとき、ファン制御装置１８から遠隔情報センタ２０への発報が行われる（ステップＳ１６）。その発報を受けた遠隔情報センタ２０では、その発報先のビルの担当保守員に連絡して先の訪問でかご内ファン１６の清掃を行ったかどうかを確認し、ファン清掃を行ったがファン清掃状態登録スイッチ３４を押し忘れたことが確認された場合は、遠隔情報センタ２０からファン作動指令を送信する。このファン作動指令を受信したファン制御装置１８は（ステップＳ１８でＹＥＳ）、記憶部４０内の清掃パラメータＣを１に設定して（ステップＳ２０）、かご内ファン１６を作動させる（ステップＳ１４）。
【００３２】
これに対し、担当保守員が先の訪問でファン清掃を行っていなかったことが確認された場合には、遠隔情報センタ２０からファン作動指令が送信されず（ステップＳ１８でＮＯ）、直ちに担当保守員または代替保守員を現地に出動させてかご内ファン１６の清掃を行わせる。そして、ファン清掃完了後にファン清掃状態登録スイッチ３４が押されて清掃パラメータＣが１に設定されたと判定されると（ステップＳ２２でＹＥＳ）、かご内ファン１６の作動が開始される（ステップＳ１４）。その後、かご内ファン１６は、かご内温度が２５℃以上で作動し、２５℃未満では作動休止する自動制御が継続される。その間、かご内ファン１６は断続的に作動するため埃が溜まることはない。
【００３３】
例えば１０月中旬ごろにかご内温度が２５℃以上にならなくなってサーモスイッチ３３からファン作動オン信号が出力されなくなったとき（ステップＳ２４でＹＥＳ）、かご内ファン１６の作動を停止すると共に清掃パラメータＣを１に維持または再設定する（ステップＳ２６）。この作動停止に伴って計時部４２がファン作動停止期間を計測する。そして、ファン作動停止期間が所定月である４ヶ月を経過したとき、すなわちここでの具体例に即せば２月中旬ごろに、清掃パラメータＣを０にリセットしてファン清掃状態表示ランプ３６を点灯させる（ステップＳ３０）。また、これと同時に遠隔情報センタ２０への発報を行ってもよい。
【００３４】
これにより、先の定期保守点検タイミングである１２月にはファン作動停止から４ヶ月経過していないため清掃パラメータＣが１のまま維持されていてファン清掃状態表示ランプ３６が消灯しているが、次の定期保守点検タイミングである３月には上記のようにファン清掃状態表示ランプ３６が点灯しているので、保守員に対してファン清掃が必要であることを注意喚起することができる。
【００３５】
上述したように、本実施形態のエレベータかご内ファン自動制御装置１０によれば、かご１２内の温度とファン清掃状態を示す清掃パラメータＣの値とに基づいてかご内ファン１６の作動を自動制御するので、ファン清掃完了状態を確認したうえでかご内ファン１６を作動開始させることができ、定期保守点検のタイミングで年１回のファン清掃を行うだけで埃吹き出しの問題なくかご内ファン１６の自動制御が可能になる。したがって、かご内ファン１６の作動または停止のためだけに保守員が出動する必要がなくなり、メンテナンス性が良くなるとともに、時宜を得たかご内ファン１６の作動および停止により顧客満足度も向上する。
【図面の簡単な説明】
【００３６】
【図１】本発明の一実施形態であるエレベータかご内ファン自動制御装置を示す概略構成図である。
【図２】かご操作盤のメンテナンススイッチ格納部を示す図である。
【図３】ファン制御装置を示すブロック図である。
【図４】ファン制御装置における制御を示すフローチャートである。
【符号の説明】
【００３７】
１０  エレベータかご内ファン自動制御装置、１４  かご扉、１６  かご内ファン、１８  ファン制御装置、２０  遠隔情報センタ、２２  かご操作盤、２４  メンテナンススイッチ格納部、２６  平常・各階停止切替スイッチ、２８  かご内照明スイッチ、３０  運転・休止切替スイッチ、３２  ファン作動スイッチ、３３  サーモスイッチ、３４  ファン清掃状態登録スイッチ、３６  ファン清掃状態表示ランプ、３８  処理部、４０  記憶部、４２  計時部、４４  制御部。
【図１】
2009190844.tif 000003
【図２】
2009190844.tif 000004
【図３】
2009190844.tif 000005
【図４】
2009190844.tif 000006